(57)【要約】【課題】高い利便性を有する手帳を提供する。【解決手段】手帳は、第１左表紙、第１背表紙及び第１右表紙を含む第１表紙と、第２左表紙、第２背表紙及び第２右表紙を含む第２表紙と、第１表紙の表面に取り付けられ、見開き状態で第１表紙上に配置可能な第１冊子と、第２表紙の表面に取り付けられ、見開き状態で第２表紙上に配置可能な第２冊子と、第１表紙と第２表紙とを回動可能に連結する連結部と、を備える。連結部は、第１表紙の裏面と第２表紙の裏面とが対面する状態を実現できるよう構成されている。【選択図】図１
2018108661.tif 000002
【特許請求の範囲】
【請求項１】
第１左表紙、第１背表紙及び第１右表紙を含む第１表紙と、
第２左表紙、第２背表紙及び第２右表紙を含む第２表紙と、
前記第１表紙の表面に取り付けられ、見開き状態で前記第１表紙上に配置可能な第１冊子と、
前記第２表紙の表面に取り付けられ、見開き状態で前記第２表紙上に配置可能な第２冊子と、
前記第１表紙と前記第２表紙とを回動可能に連結する連結部と、を備え、
前記連結部は、前記第１表紙の裏面と前記第２表紙の裏面とが対面する状態を実現できるよう構成されている、手帳。
【請求項２】
前記連結部は、前記第１表紙を回動可能に支持する第１ヒンジ部と、前記第２表紙を回動可能に支持する第２ヒンジ部と、を有し、
前記連結部の幅が、５ｍｍ以上である、請求項１に記載の手帳。
【請求項３】
前記第１表紙、前記第２表紙及び前記連結部は、前記第１冊子及び前記第２冊子を着脱可能な手帳用カバーを構成し、
前記第１表紙は、前記第１冊子の表紙が差し込まれる表側第１差し込み部を有し、
前記第２表紙は、前記第２冊子の表紙が差し込まれる表側第２差し込み部を有する、請求項１又は２に記載の手帳。
【請求項４】
前記連結部は、前記第１表紙の前記第１右表紙と前記第２表紙の前記第２左表紙を連結している、請求項１乃至３のいずれか一項に記載の手帳。
【請求項５】
前記手帳は、見開き状態で前記第１表紙の前記第１右表紙の裏面上、前記連結部の裏面上及び前記第２表紙の前記第２左表紙の裏面上に配置可能な第３冊子を更に備える、請求項４に記載の手帳。
【請求項６】
前記連結部は、前記第１表紙の前記第１右表紙と前記第２表紙の前記第２右表紙を連結している、又は、前記第１表紙の前記第１左表紙と前記第２表紙の前記第２左表紙を連結している、請求項１乃至３のいずれか一項に記載の手帳。
【請求項７】
前記連結部が、前記第１表紙の前記第１右表紙と前記第２表紙の前記第２右表紙を連結している場合、前記手帳は、見開き状態で前記第１表紙の前記第１右表紙の裏面上、前記連結部の裏面上及び前記第２表紙の前記第２右表紙の裏面上に配置可能な第３冊子を更に備え、
前記連結部が、前記第１表紙の前記第１左表紙と前記第２表紙の前記第２左表紙を連結している場合、前記手帳は、見開き状態で前記第１表紙の前記第１左表紙の裏面上、前記連結部の裏面上及び前記第２表紙の前記第２左表紙の裏面上に配置可能な第３冊子を更に備える、請求項６に記載の手帳。
【請求項８】
前記第１表紙は、前記第３冊子の表紙が差し込まれる裏側第１差し込み部を有し、
前記第２表紙は、前記第３冊子の表紙が差し込まれる裏側第２差し込み部を有する、請求項５又は７に記載の手帳。
【請求項９】
前記第１表紙は、前記第１左表紙の側部又は前記第１右表紙の側部に回動可能に連結された第１しおりを有する、又は、
前記第２表紙は、前記第２左表紙の側部又は前記第２右表紙の側部に回動可能に連結された第２しおりを有する、請求項１乃至８のいずれか一項に記載の手帳。
【請求項１０】
前記第１冊子は、第１のタイムスパンでスケジュールを記載する第１管理ページを含み、
前記第２冊子は、前記第１のタイムスパンとは異なる第２のタイムスパンでスケジュールを記載する第２管理ページを含む、請求項１乃至９のいずれか一項に記載の手帳。
【請求項１１】
第１冊子及び第２冊子を保持する手帳用カバーであって、
第１左表紙、第１背表紙及び第１右表紙を含み、表面側において見開き状態で前記第１冊子を保持可能な第１表紙と、
第２左表紙、第２背表紙及び第２右表紙を含み、表面側において見開き状態で前記第２冊子を保持可能な第２表紙と、
前記第１表紙と前記第２表紙とを回動可能に連結する連結部と、を備え、
前記連結部は、前記第１表紙の裏面と前記第２表紙の裏面とが対面する状態を実現できるよう構成されている、手帳用カバー。
【請求項１２】
前記連結部は、前記第１表紙を回動可能に支持する第１ヒンジ部と、前記第２表紙を回動可能に支持する第２ヒンジ部と、を有し、
前記連結部の幅が、５ｍｍ以上である、請求項１１に記載の手帳用カバー。
【請求項１３】
前記第１表紙は、前記第１冊子の表紙が差し込まれる表側第１差し込み部を有し、
前記第２表紙は、前記第２冊子の表紙が差し込まれる表側第２差し込み部を有する、請求項１１又は１２に記載の手帳用カバー。
【請求項１４】
前記連結部は、前記第１表紙の前記第１右表紙と前記第２表紙の前記第２左表紙を連結しており、
前記第１表紙は、前記第１右表紙の裏面側に位置し、第３冊子の表紙が差し込まれる裏側第１差し込み部を有し、
前記第２表紙は、前記第２左表紙の裏面側に位置し、第３冊子の表紙が差し込まれる裏側第２差し込み部を有する、請求項１１乃至１３のいずれか一項に記載の手帳用カバー。
【請求項１５】
前記連結部は、前記第１表紙の前記第１右表紙と前記第２表紙の前記第２右表紙を連結しており、又は、前記第１表紙の前記第１左表紙と前記第２表紙の前記第２左表紙を連結しており、
前記第１表紙は、前記第１右表紙の裏面側又は前記第１左表紙の裏面側に位置し、第３冊子の表紙が差し込まれる裏側第１差し込み部を有し、
前記第２表紙は、前記第２右表紙の裏面側又は前記第２左表紙の裏面側に位置し、第３冊子の表紙が差し込まれる裏側第２差し込み部を有する、請求項１１乃至１３のいずれか一項に記載の手帳用カバー。
【発明の詳細な説明】
【技術分野】
【０００１】
本発明は、第１冊子及び第２冊子を備える手帳に関する。また、本発明は、第１冊子及び第２冊子を保持する手帳用カバーに関する。
【背景技術】
【０００２】
手帳を利用する際、２つの手帳を照らし合わせることがある。このような使用状態の利便性を向上させるため、例えば特許文献１は、見開き状態の２つの冊子を保持することができるよう構成された手帳を提案している。
【先行技術文献】
【特許文献】
【０００３】
【特許文献１】実開昭６０−８０７９号公報
【発明の概要】
【発明が解決しようとする課題】
【０００４】
特許文献１に記載の手帳は、閉じた状態で第１冊子と第２冊子とが対面するように構成されている。この場合、手帳を開くと、第１冊子と第２冊子とが必ず横に並ぶことになる。従って、第１冊子又は第２冊子のいずれか一方のみを使用したい場合であっても、手帳を開くための領域として、２つの冊子の分の領域を確保する必要がある。
【０００５】
本発明は、このような課題を効果的に解決し得る手帳及び手帳用カバーを提供することを目的とする。
【課題を解決するための手段】
【０００６】
本発明は、第１左表紙、第１背表紙及び第１右表紙を含む第１表紙と、第２左表紙、第２背表紙及び第２右表紙を含む第２表紙と、前記第１表紙の表面に取り付けられ、見開き状態で前記第１表紙上に配置可能な第１冊子と、前記第２表紙の表面に取り付けられ、見開き状態で前記第２表紙上に配置可能な第２冊子と、前記第１表紙と前記第２表紙とを回動可能に連結する連結部と、を備え、前記連結部は、前記第１表紙の裏面と前記第２表紙の裏面とが対面する状態を実現できるよう構成されている、手帳である。
【０００７】
本発明による手帳において、前記連結部は、前記第１表紙を回動可能に支持する第１ヒンジ部と、前記第２表紙を回動可能に支持する第２ヒンジ部と、を有し、前記連結部の幅が、５ｍｍ以上であってもよい。
【０００８】
本発明による手帳において、前記第１表紙、前記第２表紙及び前記連結部は、前記第１冊子及び前記第２冊子を着脱可能な手帳用カバーを構成し、前記第１表紙は、前記第１冊子の表紙が差し込まれる表側第１差し込み部を有し、前記第２表紙は、前記第２冊子の表紙が差し込まれる表側第２差し込み部を有していてもよい。
【０００９】
本発明による手帳において、前記連結部は、前記第１表紙の前記第１右表紙と前記第２表紙の前記第２左表紙を連結していてもよい。
【００１０】
本発明による手帳は、見開き状態で前記第１表紙の前記第１右表紙の裏面上、前記連結部の裏面上及び前記第２表紙の前記第２左表紙の裏面上に配置可能な第３冊子を更に備えていてもよい。
【００１１】
本発明による手帳において、前記連結部は、前記第１表紙の前記第１右表紙と前記第２表紙の前記第２右表紙を連結している、又は、前記第１表紙の前記第１左表紙と前記第２表紙の前記第２左表紙を連結していてもよい。
【００１２】
前記連結部が、前記第１表紙の前記第１右表紙と前記第２表紙の前記第２右表紙を連結している場合、前記手帳は、見開き状態で前記第１表紙の前記第１右表紙の裏面上、前記連結部の裏面上及び前記第２表紙の前記第２右表紙の裏面上に配置可能な第３冊子を更に備えていてもよい。また、前記連結部が、前記第１表紙の前記第１左表紙と前記第２表紙の前記第２左表紙を連結している場合、前記手帳は、見開き状態で前記第１表紙の前記第１左表紙の裏面上、前記連結部の裏面上及び前記第２表紙の前記第２左表紙の裏面上に配置可能な第３冊子を更に備えていてもよい。
【００１３】
本発明による手帳において、前記第１表紙は、前記第３冊子の表紙が差し込まれる裏側第１差し込み部を有し、前記第２表紙は、前記第３冊子の表紙が差し込まれる裏側第２差し込み部を有していてもよい。
【００１４】
本発明による手帳において、前記第１表紙は、前記第１左表紙の側部又は前記第１右表紙の側部に回動可能に連結された第１しおりを有していてもよく、又は、前記第２表紙は、前記第２左表紙の側部又は前記第２右表紙の側部に回動可能に連結された第２しおりを有していてもよい。
【００１５】
本発明による手帳において、前記第１冊子は、第１のタイムスパンでスケジュールを記載する第１管理ページを含み、前記第２冊子は、前記第１のタイムスパンとは異なる第２のタイムスパンでスケジュールを記載する第２管理ページを含んでいてもよい。
【００１６】
本発明は、第１冊子及び第２冊子を保持する手帳用カバーであって、第１左表紙、第１背表紙及び第１右表紙を含み、表面側において見開き状態で前記第１冊子を保持可能な第１表紙と、第２左表紙、第２背表紙及び第２右表紙を含み、表面側において見開き状態で前記第２冊子を保持可能な第２表紙と、前記第１表紙と前記第２表紙とを回動可能に連結する連結部と、を備え、前記連結部は、前記第１表紙の裏面と前記第２表紙の裏面とが対面する状態を実現できるよう構成されている、手帳用カバーである。
【００１７】
本発明による手帳用カバーにおいて、前記連結部は、前記第１表紙を回動可能に支持する第１ヒンジ部と、前記第２表紙を回動可能に支持する第２ヒンジ部と、を有し、前記連結部の幅が、５ｍｍ以上であってもよい。
【００１８】
本発明による手帳用カバーにおいて、前記第１表紙は、前記第１冊子の表紙が差し込まれる表側第１差し込み部を有し、前記第２表紙は、前記第２冊子の表紙が差し込まれる表側第２差し込み部を有していてもよい。
【００１９】
本発明による手帳用カバーにおいて、前記連結部は、前記第１表紙の前記第１右表紙と前記第２表紙の前記第２左表紙を連結しており、前記第１表紙は、前記第１右表紙の裏面側に位置し、第３冊子の表紙が差し込まれる裏側第１差し込み部を有し、前記第２表紙は、前記第２左表紙の裏面側に位置し、第３冊子の表紙が差し込まれる裏側第２差し込み部を有していてもよい。
【００２０】
本発明による手帳用カバーにおいて、前記連結部は、前記第１表紙の前記第１右表紙と前記第２表紙の前記第２右表紙を連結しており、又は、前記第１表紙の前記第１左表紙と前記第２表紙の前記第２左表紙を連結しており、前記第１表紙は、前記第１右表紙の裏面側又は前記第１左表紙の裏面側に位置し、第３冊子の表紙が差し込まれる裏側第１差し込み部を有し、前記第２表紙は、前記第２右表紙の裏面側又は前記第２左表紙の裏面側に位置し、第３冊子の表紙が差し込まれる裏側第２差し込み部を有していてもよい。
【発明の効果】
【００２１】
本発明によれば、手帳の利便性を向上させることができる。
【図面の簡単な説明】
【００２２】
【図１】実施の形態に係る手帳を表面側から見た場合を示す平面図である。
【図２】実施の形態に係る手帳を裏面側から見た場合を示す平面図である。
【図３】実施の形態に係る手帳を示す断面図である。
【図４】閉じた状態の手帳を示す断面図である。
【図５】第１の変形例に係る手帳を表面側から見た場合を示す平面図である。
【図６】第１の変形例に係る手帳を裏面側から見た場合を示す平面図である。
【図７】第２の変形例に係る手帳を示す断面図である。
【図８】第３の変形例に係る手帳を示す断面図である。
【発明を実施するための形態】
【００２３】
以下、本発明の実施の形態について、図面を参照しながら詳細に説明する。なお、以下に示す実施の形態は、本発明の実施形態の一例であって、本発明はこれらの実施形態に限定して解釈されるものではない。また、本明細書において、「右」、「左」、「表」や「裏」など用語は、開いた状態の手帳又は手帳用カバーを所定の一方向から見た場合の各構成要素の相対的な位置関係を表すものにすぎない。例えば、手帳を裏返したり反転させたりした場合、後述する第１冊子の左表紙が右表紙よりも使用者から見て右側に位置することもある。また、本実施形態で参照する図面において、同一部分または同様な機能を有する部分には同一の符号または類似の符号を付し、その繰り返しの説明は省略する場合がある。また、図面の寸法比率は説明の都合上実際の比率とは異なる場合や、構成の一部が図面から省略される場合がある。
【００２４】
手帳
以下、本実施の形態に係る手帳１０について説明する。図１及び図２はそれぞれ、手帳１０を表面側及び裏面側から見た場合を示す平面図である。また、図３は、手帳１０を示す断面図である。手帳１０は、第１冊子２０及び第２冊子３０と、第１冊子２０及び第２冊子３０を着脱可能な手帳用カバー５０と、を少なくとも備える。手帳１０は、第３冊子４０を更に備えていてもよい。
【００２５】
（第１冊子）
第１冊子２０は、第１のタイムスパンでスケジュールを記載することができる冊子である。第１冊子２０は、左表紙２１、背表紙２２及び右表紙２３と、背表紙２２に取り付けられた本体部２４と、を有する。本体部２４は、例えば、月間スケジュールを記載するための第１管理ページ２４ａを含む複数のページを有する。第１冊子２０は、手帳１０の表面側に位置する。
【００２６】
（第２冊子）
第２冊子３０は、第１のタイムスパンとは異なる第２のタイムスパンでスケジュールを記載することができる冊子である。第２冊子３０は、第１冊子２０と同様に、左表紙３１、背表紙３２及び右表紙３３と、背表紙３２に取り付けられた本体部３４と、を有する。本体部３４は、例えば、週間スケジュールを記載するための第２管理ページ３４ａを含む複数のページを有する。第２冊子３０は、第１冊子２０と同様に、手帳１０の表面側に位置する。
【００２７】
（第３冊子）
第３冊子４０は、第１冊子２０及び第２冊子３０とは異なり、図２に示すように、手帳１０の裏面側に位置する。第３冊子４０に記載される事項は任意である。第３冊子４０も、第１冊子２０及び第２冊子３０と同様に、左表紙４１、背表紙４２及び右表紙４３と、背表紙４２に取り付けられた本体部４４と、を有する。
【００２８】
（手帳用カバー）
手帳用カバー５０は、第１冊子２０、第２冊子３０及び第３冊子４０を保持するものである。手帳用カバー５０は、第１表紙６０、第２表紙７０及び連結部８０を備える。以下、手帳用カバー５０の各構成要素について説明する。
【００２９】
〔第１表紙〕
第１表紙６０は、図１に示すように、手帳１０の表面側において見開き状態で第１冊子２０を保持可能であるよう構成されている。第１表紙６０は、第１左表紙６１、第１背表紙６２及び第１右表紙６３を含む。第１左表紙６１、第１背表紙６２及び第１右表紙６３がそれぞれ、第１冊子２０の左表紙２１、背表紙２２及び右表紙２３を保持する。
【００３０】
図３は、手帳１０を示す断面図である。図１及び図３に示すように、第１表紙６０は、第１冊子２０の表紙が差し込まれる一対の表側第１差し込み部６４を有していてもよい。図１及び図３に示す例において、一対の表側第１差し込み部６４は、第１左表紙６１の表面６０ａに設けられ、第１冊子２０の左表紙２１が差し込まれる表側第１差し込み部６４と、第１右表紙６３の表面６０ａに設けられ、第１冊子２０の右表紙２３が差し込まれる表側第１差し込み部６４と、からなる。
【００３１】
手帳１０が第３冊子４０を備える場合、第１表紙６０は、図２及び図３に示すように、第３冊子４０の表紙が差し込まれる裏側第１差し込み部６５を更に有していてもよい。本実施の形態において、裏側第１差し込み部６５は、第１右表紙６３の裏面６０ｂに設けられており、この裏側第１差し込み部６５に、第３冊子４０の左表紙４１が差し込まれる。図３に示すように、第３冊子４０は、見開き状態で第１表紙６０の第１右表紙６３の裏面６０ｂ上、連結部８０の裏面上、及び第２表紙７０の第２左表紙７１の裏面７０ｂ上に配置される。
【００３２】
図４は、閉じた状態の手帳１０を示す断面図である。図１、図３及び図４に示すように、第１表紙６０は、第１左表紙６１の側部に回動可能に連結された第１しおり６６を更に有していてもよい。第１しおり６６は、図４に示すように、第１冊子２０の本体部２４の所望のページに挿入される。
【００３３】
〔第２表紙〕
第２表紙７０は、図１に示すように、手帳１０の表面側において見開き状態で第２冊子３０を保持可能であるよう構成されている。第２表紙７０は、第２左表紙７１、第２背表紙７２及び第２右表紙７３を含む。第２左表紙７１、第２背表紙７２及び第２右表紙７３がそれぞれ、第２冊子３０の左表紙３１、背表紙３２及び右表紙３３を保持する。
【００３４】
図１及び図３に示すように、第２表紙７０は、第２冊子３０の表紙が差し込まれる一対の表側第２差し込み部７４を有していてもよい。図１及び図３に示す例において、一対の表側第２差し込み部７４は、第２左表紙７１の表面７０ａに設けられ、第２冊子３０の左表紙３１が差し込まれる表側第２差し込み部７４と、第２右表紙７３の表面７０ａに設けられ、第２冊子３０の右表紙３３が差し込まれる表側第２差し込み部７４と、からなる。
【００３５】
手帳１０が第３冊子４０を備える場合、第２表紙７０は、図２及び図３に示すように、第３冊子４０の表紙が差し込まれる裏側第２差し込み部７５を更に有していてもよい。本実施の形態において、裏側第２差し込み部７５は、第２左表紙７１の裏面７０ｂに設けられており、この裏側第２差し込み部７５に、第３冊子４０の右表紙４３が差し込まれる。
【００３６】
図１、図３及び図４に示すように、第２表紙７０は、第２右表紙７３の側部に回動可能に連結された第２しおり７６を更に有していてもよい。第２しおり７６は、図４に示すように、第２冊子３０の本体部３４の所望のページに挿入される。
【００３７】
〔連結部〕
連結部８０は、第１表紙６０と第２表紙７０とを回動可能に連結する。本実施の形態において、連結部８０は、第１表紙６０の第１右表紙６３と第２表紙７０の第２左表紙７１を連結している。例えば、連結部８０は、第１表紙６０の第１右表紙６３を回動可能に支持する第１ヒンジ部８１と、第２表紙７０の第２左表紙７１を回動可能に支持する第２ヒンジ部８２と、を有する。第１ヒンジ部８１及び第２ヒンジ部８２は、例えば、図３に示すように、手帳用カバー５０を構成する紙や樹脂などに形成された凹部を含む。この場合、凹部を軸として第１表紙６０及び第２表紙７０を連結部８０に対して回転させることができる。
【００３８】
連結部８０は、図４に示すように、手帳１０を閉じた時に第１表紙６０の裏面６０ｂと第２表紙７０の裏面７０ｂとが対面する状態を実現できるよう構成されている。例えば、図３に示すように、第１ヒンジ部８１の凹部は、第１表紙６０の表面６０ａ側に形成されている。このため、第１表紙６０の第１右表紙６３を連結部８０に対して第１ヒンジ部８１を軸として裏面６０ｂ側へ回転させることができる。同様に、第２ヒンジ部８２の凹部は、第２表紙７０の表面７０ａ側に形成されている。このため、第２表紙７０の第２左表紙７１を連結部８０に対して第２ヒンジ部８２を軸として裏面７０ｂ側へ回転させることができる。これらのことにより、図４に示すように、手帳１０を閉じた時に第１表紙６０の第１右表紙６３の裏面６０ｂと第２表紙７０の第２左表紙７１の裏面７０ｂとが対面する状態を実現できる。このため、第１表紙６０の第１右表紙６３の裏面６０ｂと第２表紙７０の第２左表紙７１の裏面７０ｂとの間に、第３冊子４０などの物品を収容することができる。
【００３９】
また、第１表紙６０の第１右表紙６３の裏面６０ｂと第２表紙７０の第２左表紙７１の裏面７０ｂとが対面するように手帳１０を閉じることにより、３つの冊子のうちの任意の１つの冊子を、その他の２つの冊子が閉じられた状態を維持しながら開くことが可能になる。例えば、第２冊子３０及び第３冊子４０が閉じられた状態を維持しながら、第１冊子２０を開くことができる。また、第１冊子２０及び第２冊子３０が閉じられた状態を維持しながら、第３冊子４０を開くことができる。このため、１つの冊子を開くために必要な領域を、上述の特許文献１の場合に比べて小さくすることができる。
【００４０】
図１において、符号ｄは、連結部８０の幅（第１ヒンジ部８１と第２ヒンジ部８２との間の距離）を表す。連結部８０の幅ｄは、第１右表紙６３と第２左表紙７１との間に第３冊子４０を適切に収容できるよう設定されており、例えば５ｍｍ以上である。
【００４１】
手帳の作用
以下、本実施の形態に係る上述の手帳１０の作用についてまとめる。
【００４２】
手帳１０は、図１に示すように、見開き状態で第１表紙６０上に配置可能な第１冊子２０と、見開き状態で第２表紙７０上に配置可能な第２冊子３０と、を備える。このため、使用者は、２つの冊子を照らし合わせながら冊子にスケジュールなどを記載することができる。
【００４３】
また、第１表紙６０と第２表紙７０を連結する連結部８０は、手帳１０が閉じている時に第１表紙６０の第１右表紙６３の裏面６０ｂと第２表紙７０の第２左表紙７１の裏面７０ｂとが対面する状態を実現できるよう、構成されている。このため、３つの冊子のうちの任意の１つの冊子を、その他の２つの冊子が閉じられた状態を維持しながら開くことができる。このことにより、１つの冊子を開くために必要な領域を小さくすることができる。
【００４４】
また、手帳１０は、見開き状態で第１表紙６０の第１右表紙６３の裏面６０ｂ上、連結部８０の裏面上、及び第２表紙７０の第２左表紙７１の裏面７０ｂ上に配置される第３冊子４０を備えている。第３冊子４０を利用することにより、より多くの情報をより整然と管理することができる。
【００４５】
なお、上述した実施の形態に対して様々な変更を加えることが可能である。以下、必要に応じて図面を参照しながら、変形例について説明する。以下の説明および以下の説明で用いる図面では、上述の実施の形態と同様に構成され得る部分について、上述の実施の形態における対応する部分に対して用いた符号と同一の符号を用いることとし、重複する説明を省略する。また、上述の実施の形態において得られる作用効果が変形例においても得られることが明らかである場合、その説明を省略することもある。
【００４６】
（第１の変形例）
上述の実施の形態においては、連結部８０が第１表紙６０の第１右表紙６３と第２表紙７０の第２左表紙７１とを連結する例を示した。しかしながら、手帳１０を閉じた状態において第１表紙６０の裏面６０ｂの一部と第２表紙７０の裏面７０ｂの一部とが対面することができる限りにおいて、連結部８０の配置が制限されることはない。図５及び図６はそれぞれ、第１の変形例に係る手帳１０を表面側及び裏面側から見た場合を示す平面図である。本変形例において、手帳１０の連結部８０は、第１冊子２０を保持する第１表紙６０の第１右表紙６３と、第２冊子３０を保持する第２表紙７０の第２右表紙７３を連結している。
【００４７】
図６に示すように、手帳１０は、見開き状態で第１表紙６０の第１右表紙６３の裏面６０ｂ上、連結部８０の裏面上及び第２表紙７０の第２右表紙７３の裏面７０ｂ上に配置可能な第３冊子４０を備えていてもよい。連結部８０は、手帳１０を閉じた時に第１表紙６０の第１右表紙６３の裏面６０ｂと第２表紙７０の第２右表紙７３の裏面７０ｂとが対面する状態を実現できるよう構成されている。このため、第１表紙６０の第１右表紙６３の裏面６０ｂと第２表紙７０の第２右表紙７３の裏面７０ｂとの間に、第３冊子４０などの物品を収容することができる。
【００４８】
図示はしないが、連結部８０は、第１冊子２０を保持する第１表紙６０の第１左表紙６１と、第２冊子３０を保持する第２表紙７０の第２左表紙７１を連結していてもよい。この場合、手帳１０は、見開き状態で第１表紙６０の第１左表紙６１の裏面６０ｂ上、連結部８０の裏面上及び第２表紙７０の第２左表紙７１の裏面７０ｂ上に配置可能な第３冊子４０を備えていてもよい。
【００４９】
（第２の変形例）
上述の実施の形態においては、第１表紙６０、第２表紙７０及び連結部８０が、冊子を着脱可能な手帳用カバー５０を構成する例を示した。しかしながら、これに限られることはなく、冊子の本体部が第１表紙６０、第２表紙７０、連結部８０などに直接的に取り付けられていてもよい。すなわち、第１表紙６０、第２表紙７０及び連結部８０が、冊子を着脱可能な手帳用カバー５０を構成していなくてもよい。
【００５０】
図７は、第２の変形例に係る手帳１０を示す断面図である。本変形例において、第１冊子２０の本体部２４は、第１表紙６０の第１背表紙６２の表面６０ａに直接的に取り付けられている。同様に、第２冊子３０の本体部３４は、第２表紙７０の第２背表紙７２の表面７０ａに直接的に取り付けられており、第３冊子４０の本体部４４は、連結部８０の裏面に直接的に取り付けられている。冊子を取り付ける方法は特には制限されず、接着剤を用いる方法やリングを用いる方法などを適宜採用することができる。
【００５１】
（第３の変形例）
上述の実施の形態においては、連結部８０が、第１ヒンジ部８１及び第２ヒンジ部８２という２つのヒンジ部を含む例を示した。しかしながら、手帳１０を閉じた時に第１表紙６０の第１右表紙６３の裏面６０ｂと第２表紙７０の第２左表紙７１の裏面７０ｂとが対面する状態を実現することができる限りにおいて、連結部８０の具体的な構成が特に限られることはない。例えば、図８に示すように、連結部８０は、凹部などを含む１つのヒンジ部によって構成されていてもよい。
【００５２】
なお、上述した実施の形態に対するいくつかの変形例を説明してきたが、当然に、複数の変形例を適宜組み合わせて適用することも可能である。
【符号の説明】
【００５３】
１０  手帳
２０  第１冊子
２１  左表紙
２２  背表紙
２３  右表紙
２４  本体部
２４ａ  第１管理ページ
３０  第２冊子
３１  左表紙
３２  背表紙
３３  右表紙
３４  本体部
３４ａ  第２管理ページ
４０  第３冊子
４１  左表紙
４２  背表紙
４３  右表紙
４４  本体部
５０  手帳用カバー
６０  第１表紙
６０ａ  表面
６０ｂ  裏面
６１  第１左表紙
６２  第１背表紙
６３  第１右表紙
６４  表側第１差し込み部
６５  裏側第１差し込み部
６６  第１しおり
７０  第２表紙
７０ａ  表面
７０ｂ  裏面
７１  第２左表紙
７２  第２背表紙
７３  第２右表紙
７４  表側第２差し込み部
７５  裏側第２差し込み部
７６  第２しおり
８０  連結部
８１  第１ヒンジ部
８２  第２ヒンジ部
【図１】
2018108661.tif 000003
【図２】
2018108661.tif 000004
【図３】
2018108661.tif 000005
【図４】
2018108661.tif 000006
【図５】
2018108661.tif 000007
【図６】
2018108661.tif 000008
【図７】
2018108661.tif 000009
【図８】
2018108661.tif 000010